(57)【要約】【課題】濃度基準原稿のような特殊な原稿を使用することなく原稿表裏の読み取りリニアリティ差を低減することができる読取装置を提供する。【解決手段】読取装置（１００）は、原稿の表面画像を読み取る表面側ＣＩＳ１２６、原稿の裏面画像を読み取る裏面側ＣＩＳ１２８を有する。また、表面側及び裏面側ＣＩＳがシェーディング白板（α、β）それぞれを読み取り、この読み取り結果に基づいて決定されたシェーディング補正のためのゲイン調整値及びオフセット調整値に基づいて原稿の画像データに対してシェーディング補正を行うシェーディング補正回路４００、４０１を有する。また、ＬＥＤ光源１３０、１３２の光量を制御して白色紙を読み取って取得した読取データに基づいて表面側及び裏面側ＣＩＳの読取特性差を低減するようにゲイン調整値を補正するゲイン補正値算出回路（４０２）、オフセット調整値を補正するオフセット補正値算出回路（４０３）を有する。【選択図】図３
2017183964.tif 000002
【特許請求の範囲】
【請求項１】
原稿の表面画像を読み取る第１の読取手段と、
前記原稿の裏面画像を読み取る第２の読取手段と、
前記第１及び第２の読取手段が白基準部材を読み取り、この読み取り結果に基づいて決定されたシェーディング補正のためのゲイン調整値及びオフセット調整値に基づいて、当該第１及び第２の読取手段が読み取った前記原稿の画像データに対してシェーディング補正を行うシェーディング補正手段と、
光源の光量を制御して表面と裏面の面内濃度が一様な原稿を読み取って取得した読取データに基づいて前記第１及び第２の読取手段の読取特性差を低減するように前記ゲイン調整値と前記オフセット調整値を補正するデータ補正手段と、を有することを特徴とする、
読取装置。
【請求項２】
前記データ補正手段は、前記表面と裏面の面内濃度が一様な原稿を読み取って取得した少なくとも２つの異なる光量の輝度パターンを有する読取データに基づいて前記第１及び第２の読取手段の読取特性差を低減するように前記ゲイン調整値と前記オフセット調整値を補正することを特徴とする、
請求項１に記載の読取装置。
【請求項３】
前記白基準部材は、前記第１の読取手段の白色基準を決定する第１の白基準部材と、前記第２の読取手段の白色基準を決定する第２の白基準部材と、を有し、
前記シェーディング補正手段は、前記第１の読取手段が前記第１の白基準部材を読み取り、この読み取り結果に基づいて決定されたシェーディング補正のためのゲイン調整値及びオフセット調整値に基づいて、当該第１の読取手段が読み取った前記原稿の画像データに対してシェーディング補正を行う第１のシェーディング補正手段と、前記第２の読取手段が前記第２の白基準部材を読み取り、この読み取り結果に基づいて決定されたシェーディング補正のためのゲイン調整値及びオフセット調整値に基づいて、当該第２の読取手段が読み取った前記原稿の画像データに対してシェーディング補正を行う第２のシェーディング補正手段と、を有することを特徴とする、
請求項１又は２に記載の読取装置。
【請求項４】
前記光源は、前記原稿の表面に向けて光を照射する第１の光源と、当該原稿の裏面に向けて光を照射する第２の光源であり、
前記第１の光源及び前記第２の光源の光量を制御して、表面側及び裏面側それぞれ少なくとも２つの異なる光量の輝度パターンを有する、表面側及び裏面側それぞれに対応する読取データを取得するように制御する制御手段を有することを特徴とする、
請求項１、２又は３に記載の読取装置。
【請求項５】
前記データ補正手段は、前記第１の読取手段の読取特性を基準にして、前記第２の読取手段のゲイン調整値とオフセット調整値を補正して当該第１及び第２の読取手段の読取特性差を低減することを特徴とする、
請求項１乃至４いずれか一項に記載の読取装置。
【請求項６】
前記原稿を給送する原稿給送手段を有し、
前記制御手段は、前記原稿給送手段から給送された前記面内濃度が一様な原稿を読み取る際に前記第１及び第２の光源の光量を制御して、表面側及び裏面側それぞれ少なくとも２つの異なる光量の輝度パターンを有する、表面側及び裏面側それぞれに対応する読取データを取得するように制御することを特徴とする、
請求項４又は５に記載の読取装置。
【請求項７】
前記面内濃度が一様な原稿は、白色紙であることを特徴とする、
請求項１乃至６いずれか一項に記載の読取装置。
【請求項８】
原稿画像を読み取る読取装置を有する画像形成装置であって、
前記読取装置は、
原稿の表面画像を読み取る第１の読取手段と、
前記原稿の裏面画像を読み取る第２の読取手段と、
前記第１及び第２の読取手段が白基準部材を読み取り、この読み取り結果に基づいて決定されたシェーディング補正のためのゲイン調整値及びオフセット調整値に基づいて、当該第１及び第２の読取手段が読み取った前記原稿の画像データに対してシェーディング補正を行うシェーディング補正手段と、
光源の光量を制御して、面内濃度が一様な原稿を読み取って取得した少なくとも２つの異なる光量の輝度パターンを有する読取データに基づいて前記第１及び第２の読取手段の読取特性差を低減するように前記ゲイン調整値と前記オフセット調整値を補正するデータ補正手段と、を有することを特徴とする、
画像形成装置。
【発明の詳細な説明】
【技術分野】
【０００１】
本発明は、原稿に記録された画像情報を読み取る読取装置の技術に関する。
【背景技術】
【０００２】
例えば、原稿の画像を読み取る読取装置では、読取手段に含まれる光学系や発光素子、撮像素子の特性ばらつきなどによる読み取りムラを補正するため、一般的に白色の基準原稿や白色基準板等を読み取ってシェーディング補正を行っている。
また、複写機等に使用される読取装置には、原稿を１ページずつ原稿台ガラス上に搬送し、その搬送路に固定された読取手段により原稿の画像を読み取る、いわゆる「流し読み」を行うものが知られている。また、生産性向上のために読取装置を２つ設けて、原稿の表裏を一度の搬送で読み取るものが知られている。
【０００３】
一度の搬送で原稿の表裏を読み取る場合には、原稿画像を読み取る際の読み取り位置の違いによる光量のばらつきなどが発生することがある。また、表面原稿の読み取り値と裏面原稿の読み取り値に差異が生じ、再現される色や濃度が異なってしまう、という問題がある。
【０００４】
その問題に対し、例えば少なくとも２つの異なる濃度の濃度パターンを有する濃度基準原稿を用いて、表裏の読取データに基づいたゲイン補正値及びオフセット補正値によって、表裏の読取特性差（リニアリティ差）を低減する手法がある（例えば、特許文献１）。
【先行技術文献】
【特許文献】
【０００５】
【特許文献１】特開２００８−０７８７９８号公報
【発明の概要】
【発明が解決しようとする課題】
【０００６】
しかしながら、特許文献１に開示された手法では、第１及び第２の読取手段のリニアリティ差を低減するには、濃度基準原稿のように特殊な原稿を使用する必要がある。
仮に読取装置が経年劣化により読み取り特性が変化した場合、濃度基準原稿の管理が不十分で傷や汚れが発生した場合、などには正常に補正処理が行えなくなる、という課題が残る。また、流し読みを行っている最中に原稿が読取装置に詰まってしまい、濃度基準原稿にダメージが発生した場合にも正常に補正処理が行えなくなる。さらに、上記のように濃度基準原稿に傷や汚れ、原稿ダメージが発生した場合、新たな濃度基準原稿を調達しなければならない、という問題が残る。
【０００７】
本発明は、濃度基準原稿のような特殊な原稿を使用することなく原稿表裏の読み取りリニアリティ差を低減することができる読取装置を提供することを、主たる課題とする。また、この読取装置を有する画像形成装置を提供する。
【課題を解決するための手段】
【０００８】
本発明の読取装置は、原稿の表面画像を読み取る第１の読取手段と、前記原稿の裏面画像を読み取る第２の読取手段と、前記第１及び第２の読取手段が白基準部材を読み取り、この読み取り結果に基づいて決定されたシェーディング補正のためのゲイン調整値及びオフセット調整値に基づいて、当該第１及び第２の読取手段が読み取った前記原稿の画像データに対してシェーディング補正を行うシェーディング補正手段と、光源の光量を制御して表面と裏面の面内濃度が一様な原稿を読み取って取得した読取データに基づいて前記第１及び第２の読取手段の読取特性差を低減するように前記ゲイン調整値と前記オフセット調整値を補正するデータ補正手段と、を有することを特徴とする。
【発明の効果】
【０００９】
本発明によれば、濃度パターンが複数ある濃度基準原稿のような特殊な原稿を使用することなく、面内濃度が一様な原稿（例えば白色紙）を用いて表裏の読み取りリニアリティ差の軽減を図ることができる。
【図面の簡単な説明】
【００１０】
【図１】本実施形態に係る読取装置の構成の一例を示す概略縦断面図。
【図２】読取装置が行う両面原稿を読み取る読取処理の一例を示すフローチャート。
【図３】読取装置の主たる機能構成の一例を示すブロック図。
【図４】画像処理ＡＳＩＣの回路構成の一例を説明するための図。
【図５】読取装置が行うシェーディング補正を説明するための図。
【図６】表面側ＣＩＳを介した輝度取得処理の結果である白紙画像の一例を示す図。
【図７】表面側ＣＩＳを介した輝度取得処理手順の一例を示すフローチャート。
【図８】基準原稿の中央部における表及び裏面側のＣＩＳの発光率と輝度との関係の一例を示す図。
【図９】シェーディング補正処理の手順の一例を示すフローチャート。
【図１０】高発光率の範囲に含まれる１点の平均輝度と低発光率の範囲に含まれる１点の平均輝度の一例を説明するための図。
【図１１】読取装置が行う表裏合わせ込みの処理結果の一例を説明するためのグラフ。
【発明を実施するための形態】
【００１１】
以下、本発明の実施の形態を図面を参照しながら詳細に説明する。また、本発明を原稿画像を読み取る読取装置に適用した場合を例に挙げて説明する。なお、この読取装置は画像形成装置に接続可能に構成される。
【００１２】
［実施形態例］
図１は、本実施形態に係る読取装置の構成の一例を示す概略縦断面図である。
図１に示す読取装置１０は、自動原稿給送装置１００、原稿の画像を読み取る装置本体９９を含んで構成される。
【００１３】
原稿トレイ１０１は原稿１０２を積載する。原稿トレイ１０１の上方には、給紙ローラ１０３が配置される。給紙ローラ１０３は、分離搬送ローラ１０４と同一駆動源に接続され、その回転に連れて回転して原稿１０２を給紙する。
給紙ローラ１０３は、通常、ホームポジションである上方の位置に退避しており、原稿１０２のセット作業を阻害しないようになっている。給紙動作が開始されると、給紙ローラ１０３は下降して原稿１０２の上面に当接する。給紙ローラ１０３は、図示しないアームに軸支されており、このアームが揺動することにより上下に移動する。
【００１４】
分離搬送従動ローラ１０５は、分離搬送ローラ１０４の対向側に配置されており、分離搬送ローラ１０４側に押圧されている。分離搬送従動ローラ１０５は、分離搬送ローラ１０４より僅かに摩擦が少ないゴム材等から形成されており、分離搬送ローラ１０４と協働して、給紙ローラ１０３によって給紙される原稿１０２を１枚ずつ捌いて給紙する。
【００１５】
レジストローラ１０６及びレジスト従動ローラ１０７は、分離部で給紙された原稿１０２の先端を揃えるものであり、静止したレジストローラ対のニップ部に向けて分離した原稿１０２の先端を突き当て、原稿１０２にループを生じさせてその先端を揃える。リードローラ１０８及びリード従動ローラ１０９は、原稿１０２を流し読みガラス１１６に向けて搬送する。
【００１６】
表面側ＣＩＳ（コンタクトイメージセンサ）１２６は、流し読みガラス１１６上（第１の画像読み取り部）を通過する原稿１０２の表面の画像情報を読み取る。
裏面側ＣＩＳ１２８は、流し読みガラス１２９（第２の画像読み取り部）を通過する原稿１０２の裏面の画像情報を読み取る。
表面及び裏面の読み取りが終了した原稿１０２は、ジャンプ台１１７により流し読みガラス１１６からすくい上げられた後に、リード排出ローラ１１１、リード排出従動ローラ１１２、排紙ローラ１１３を介して排紙トレイ１１４に排出される。
【００１７】
図２は、読取装置１０が行う両面原稿を読み取る読取処理の一例を示すフローチャートである。以下、図２を用いて読取装置１０の動作について説明する。なお、読取装置１０による読取処理は、主として後述するＣＰＵ（Central Processing Unit）５００により制御される。
【００１８】
読取装置１０は、原稿トレイ１０１に載置された原稿１０２の給紙を開始する（Ｓ２０１）。読取装置１０は、表面側ＣＩＳ１２６を介して、流し読みガラス１１６上を通過する原稿１０２の表面の画像情報を読み取る（Ｓ２０２）。読取装置１０は、裏面側ＣＩＳ１２８を介して、原稿１０２の裏面の画像情報を読み取る（Ｓ２０３）。読取装置１０は、表面及び裏面の読み取りが終了した原稿１０２を排紙トレイ１１４に排出する（Ｓ２０４）。
【００１９】
図３は、読取装置１０の主たる機能構成の一例を示すブロック図である。
読取装置１０は、表面側ＣＩＳ１２６が有するＣＩＳラインセンサ１２６ａ、これを駆動制御する表面側ＣＩＳラインセンサ駆動回路３０２、表面側ＣＩＳ１２６が有する光源であるＬＥＤ光源１３０と、これを制御するＬＥＤ制御回路１３１を有する。また、表面側ＣＩＳ１２６から出力されるアナログデータをディジタルデータに変換するＡ／Ｄ変換部３０３、出力信号に対してシェーディング補正回路４００を有する。シェーディング補正回路４００は、第１のシェーディング補正手段として機能する。
【００２０】
裏面側ＣＩＳ１２８は、表面側ＣＩＳ１２６と同様の構成である。
読取装置１０は、裏面側ＣＩＳ１２８が有するＣＩＳラインセンサ１２８ａ、これを駆動制御する裏面側ＣＩＳラインセンサ駆動回路３０６、裏面側ＣＩＳ１２８が有する光源であるＬＥＤ光源１３２と、これを制御するＬＥＤ制御回路１３３を有する。また、裏面側ＣＩＳ１２８から出力されるアナログデータをディジタルデータに変換するＡ／Ｄ変換部３０７、出力信号に対してシェーディング補正回路４０１を有する。シェーディング補正回路４０１は、第２のシェーディング補正手段として機能する。
【００２１】
読取装置１０は、また、シェーディング補正回路４００、４０１からの画像信号の画像処理を行う画像処理ＡＳＩＣ３０４、画像データの一時保存用のＳＤＲＡＭ３０５を有する。なお、画像処理ＡＳＩＣ３０４において、シェーディング補正を含む画像処理を行った画像データは、図示しない画像形成装置に送られる。
読取装置１０は、また、表面側ＣＩＳ１２６を流し読み位置まで移動させるＣＩＳ移動用モータ５０１、流し読みのとき原稿搬送を行う原稿搬送モータ５０２を有する。ＣＰＵ５００は、読取装置１０の各機能構成を制御する。
【００２２】
図４は、画像処理ＡＳＩＣ３０４の回路構成の一例を説明するための図である。
画像処理ＡＳＩＣ３０４は、後述するＳＤＲＡＭ３０５に保管されている画像データに基づいて後述するゲイン補正値を決定するゲイン補正値算出回路４０２（第１のデータ補正手段）を有する。また、オフセット補正値を決定するオフセット補正値算出回路４０３（第２のデータ補正手段）を有する。
以下、表面側ＣＩＳ１２６及び裏面側ＣＩＳ１２８のそれぞれから出力される画像データの画素毎のばらつきを補正するシェーディング補正について、図５を用いて説明する。
【００２３】
図５は、読取装置１０が行うシェーディング補正を説明するための図である。
表面側ＣＩＳ１２６のＬＥＤ光源１３０により光を照射して流し読みガラス１１６上に存在するシェーディング白板α（白基準部材α）を読み取ってシェーディングデータを取得する。同様に裏面側ＣＩＳ１２８においてもＬＥＤ光源１３２により光を照射して流し読みガラス１１６の下部にあるシェーディング白板β（白基準部材β）を読み取ってシェーディングデータを取得する。このように流し読みガラス１２９、１１６を通して読み取り、表面側ＣＩＳ１２６、裏面側ＣＩＳ１２８の白色基準が決定され、これに基づいてオフセット調整値とゲイン調整値を決定する。以下、この点について詳細に説明する。
【００２４】
オフセット調整値は以下のようにして決定される。表面側ＣＩＳ１２６と裏面側ＣＩＳ１２８それぞれに対応するＬＥＤ光源１３０、１３２を消灯する。
この状態で、表面側ＣＩＳ１２６と裏面側ＣＩＳ１２８から出力されるデータの各画素値が任意の目標値（例えば、輝度値５）になるようにシェーディング補正回路４００、４０１において画素毎にオフセット調整する。この調整値をオフセット調整値としてＳＤＲＡＭ３０５に記憶する。
【００２５】
また、ゲイン調整値は以下のようにして決定される。表面側ＣＩＳ１２６及び裏面側ＣＩＳ１２８のシェーディングデータの各画素値が任意の目標値（例えば、輝度値２４５）になるようにゲイン値を画素毎に調整する。このゲイン調整値をＳＤＲＡＭ３０５に記憶する。なお、基準白色板は、原稿表面側の画像を読み取る表面側ＣＩＳ１２６と原稿裏面側の画像を読み取る裏面側ＣＩＳ１２８で同じものを使用することが望ましい。
【００２６】
そして、原稿１０２の画像を読み取ることで表面側ＣＩＳ１２６、裏面側ＣＩＳ１２８から出力される画像データに対して、シェーディング補正回路４００、４０１が所定の処理を行う。シェーディング補正回路４００、４０１による処理では、画像データに対して、ＳＤＲＡＭ３０５に記憶されたオフセット調整値、ゲイン調整補正値に基づいて画素ごとに出力輝度値の調整が行われる。このようにして、原稿の表面画像を読み取る表面側ＣＩＳ１２６及び原稿の裏面画像を読み取る裏面側ＣＩＳ１２８の各々から出力される画像データに対してシェーディング補正が行われる。
【００２７】
なお、表面側ＣＩＳ１２６と裏面側ＣＩＳ１２８の読み取り位置の違い、表面の流し読みガラス１１６と裏面の流し読みガラス１２９の特性差などにより表面側ＣＩＳ１２６の読み取り特性と一致するとは限らない。そのため、表面側と裏面側において読取特性差（リニアリティ差）が生じることがある。そこで、本実施形態に係る読取装置１０では、表裏のリニアリティ差を軽減するための処理（表裏合わせ込み処理と称す）を行う。以下、この点について詳細に説明する。
【００２８】
読取装置１０が行う補正処理に用いる画像データについて説明する。
読取装置１０では、表面と裏面の面内濃度が一様な原稿、例えば白紙（白色紙）を用いて補正処理を行う。表面側ＣＩＳ１２６のシェーディング補正処理時に照射したＬＥＤ光源１３０の点灯時間をＴａ１、任意の時間ｔａ（＞０）、整数Ｘ（≧１）とし、下記の式（１）により点灯時間ＴａＸを算出する。
【００２９】
ＴａＸ＝Ｔａ１−（Ｘ−１）＊ｔａ、（Ｘ≧１）・・・式（１）
【００３０】
表面側ＣＩＳ１２６が白紙の流し読みをする際、まず、点灯時間Ｔａ１（Ｘ＝１）の状態で白紙を任意で決定した主走査ライン数Ｌ分（Ｌライン分）の画像を読み取る。次に、ＬＥＤ制御回路１３１，１３３を介して点灯時間Ｔａ２（Ｘ＝２）になるように制御し、再びＬライン分画像読み取る。前記の処理をＴａ３、Ｔａ４、Ｔａ５・・・と繰り返し、任意で決定した発光率０とする点灯時間Ｔａｅｎｄとしたとき、点灯時間ＴａＸがＴａｅｎｄになるまで画像を読み取り、処理を終了する。この一連の処理を発光量別の輝度取得処理と称す。
【００３１】
図６は、表面側ＣＩＳ１２６を介した輝度取得処理の結果である白紙画像（以降、基準原稿と称す）の一例を示す図である。図６に示すように、点灯時間Ｔａ１、Ｔａ２（＝Ｔａ１−ｔａ）、Ｔａ３（＝Ｔａ１−２ｔａ）・・・・Ｔａｅｎｄと変化させることで、それぞれの点灯時間に相当した輝度を取得することができる。
【００３２】
図７は、表面側ＣＩＳ１２６を介した輝度取得処理手順の一例を示すフローチャートである。なお、図７に示す各処理は、主としてＣＰＵ５００により行われる。
ＣＰＵ５００は、Ｘ＝１としたとき（Ｓ８００）、式（１）に基づいて点灯時間ＴａＸを算出する（Ｓ８０１）。ＣＰＵ５００は、点灯時間ＴａＸでＬライン分だけ画像の読み取りを行う（Ｓ８０２）。ＣＰＵ５００は、画像処理ＡＳＩＣ３０４を介して、Ｌライン分のデータの平均輝度値を算出する（Ｓ８０３）。ＣＰＵ５００は、ＴａＸがＴａｅｎｄであるか否かを判定する（Ｓ８０４）。ＴａＸがＴａｅｎｄでない場合（Ｓ８０４：Ｎｏ）、ＣＰＵ５００は、Ｘ＝Ｘ＋１に更新して（Ｓ８０５）、ステップＳ８０１の処理に戻る。また、そうでない場合（Ｓ８０４：Ｙｅｓ）、処理を終了する。
【００３３】
また、裏面側ＣＩＳ１２８においても同様の処理を行う。裏面側ＣＩＳ１２８のシェーディング補正処理時に照射したＬＥＤ光源１３２の点灯時間をＴｂ１、任意の時間ｔｂ（＞０）、任意で決定した発光率０とする点灯時間Ｔｂｅｎｄとし、下記の式（２）によりＴｂＸを算出する。なお、裏面側ＣＩＳ１２８を介した輝度取得処理手順は、前述した表面側ＣＩＳ１２６の輝度取得処理と同様の処理手順である。
【００３４】
ＴｂＸ＝Ｔｂ１−（Ｘ−１）＊ｔｂ、（Ｘ≧１）・・・式（２）
【００３５】
また、表面側ＣＩＳ１２６の発光率Ｋａは下記の式（３）により、裏面側ＣＩＳ１２８の発光率Ｋｂは下記の式（４）により算出することができる。
【００３６】
Ｋａ＝（ＴａＸ−Ｔａｅｎｄ）／（Ｔａ１−Ｔａｅｎｄ）・・・式（３）
Ｋｂ＝（ＴｂＸ−Ｔｂｅｎｄ）／（Ｔｂ１−Ｔｂｅｎｄ）・・・式（４）
【００３７】
図８は、基準原稿の中央部における表面側及び裏面側のＣＩＳの発光率と輝度との関係の一例を示す図である。図８に示すグラフの縦軸は輝度を表し、横軸は光源の発光率を表している。
図８に示すように、表面側と裏面側とが同じ発光率であった場合においてもリニアリティ差が生じてしまっていることが見て取れる。このリニアリティ差は、表面側の読み取り輝度と裏面側の読み取り輝度との差に起因するものである。
以下、基準原稿の輝度値に基づいた表裏のリニアリティ差を軽減する処理（表裏合わせ込み処理）を図９を用いて説明する。
【００３８】
図９は、シェーディング補正処理の手順の一例を示すフローチャートである。なお、図９に示す各処理は、主としてＣＰＵ５００により行われる。また、基準原稿（図６）に基づいて、裏面側の読み取り特性を表面側の読み取り特性に合わせ込む（表裏のリニアリティ差を低減する処理）場合を例に挙げて説明する。
また、図９に示すステップＳ９０１〜Ｓ９０５の各処理は、表面側ＣＩＳ１２６を介するか、裏面側ＣＩＳ１２８を介するか差異であり同じ処理が行われるため、同一の符号を付しているが同じタイミングで処理が行われることに限るものではない。
【００３９】
ＣＰＵ５００は、表面側ＣＩＳ１２６、裏面側ＣＩＳ１２８を介してシェーディング白板α、βを読み取り、読み取った結果に基づきシェーディング補正回路４００、４０１を介してシェーディング補正を開始する（Ｓ９０１）。
ＣＰＵ５００は、表面側ＣＩＳ１２６、裏面側ＣＩＳ１２８が白紙読み込みを開始し（Ｓ９０２）、輝度取得処理を実施する（Ｓ９０３）。ＣＰＵ５００は、各発光率に相当するＬライン分の平均輝度値を算出し、算出結果を補正用データとしてＳＤＲＡＭ３０５に記憶する（Ｓ９０４）。ＣＰＵ５００は、輝度取得処理が終了したとき白紙の読み込みを終了する（Ｓ９０５）。
【００４０】
ＣＰＵ５００は、ゲイン調整値を補正するゲイン補正係数ａ、及び、オフセット調整値を補正するオフセット補正係数ｂを決定する（Ｓ９０６）。例えば、ステップＳ９０４の処理においてＳＤＲＡＭ３０５に記憶した補正用データの全てを利用して補正係数を算出しても良い。しかしながらこの場合には、ルックアップテーブル（ＬＵＴ）などを参照する必要があるため、回路規模が大きくなってしまい参照用バックアップデータも莫大なものとなる。そのため、限られたメモリ資源では実現が困難な場合がある。
【００４１】
そこで、本実施形態に係る読取装置１０では、光源の中間調の発光率の内、高発光率（Ｈ１）の範囲に含まれる１点と低発光率（Ｈ２）の範囲に含まれる１点の計２点のみを用いて輝度の合わせ込みを行うように構成する。以下、この点について図１０を用いて説明する。
【００４２】
図１０は、高発光率（Ｈ１）の範囲に含まれる１点の平均輝度と低発光率（Ｈ２）の範囲に含まれる１点の平均輝度の一例を説明するための図である。
図１０では、２つの発光率における表裏の平均輝度を示したチャートであり、チャート中央部の２つの階調パッチ（２つの異なる光量の輝度パターン）を用いて輝度の合わせ込みを行う場合の一例を挙げている。なお、実際は表裏の各対応領域それぞれにおいて輝度の合わせ込みを行う必要がある。
【００４３】
図９に示すステップＳ９０４の処理でＳＤＲＡＭ３０５に記憶した補正用データの中から、表面側ＣＩＳ１２６を介して取得した表面側の高発光率Ｈ１の読み取り輝度データ（平均輝度ｘ１）と、低発光率Ｈ２の読み取り輝度データ（平均輝度ｘ２）を読み出す。また、裏面側ＣＩＳ１２８を介して取得した裏面側の高発光率Ｈ１の読み取り輝度データ（平均輝度ｙ１）と、低発光率Ｈ２の読み取り輝度データ（平均輝度ｙ２）を読み出す。読み出したデータは、下記表１のようになる。
【００４４】
【表１】
2017183964.tif 000003
【００４５】
ＣＰＵ５００は、ゲイン補正値算出回路４０２を介して、ゲイン調整値を補正するゲイン補正係数ａを決定する。また、オフセット補正値算出回路４０３を介して、オフセット調整値を補正するオフセット補正係数ｂを決定する。なお、上記表１のように各値を設定した場合、表面側に対する裏面側のゲイン補正係数ａ、及び、オフセット補正係数ｂは下記の式（５）、（６）によりそれぞれ求めることができる。
【００４６】
【数１】
2017183964.tif 000004
【００４７】
【数２】
2017183964.tif 000005
【００４８】
図９の説明に戻り、ＣＰＵ５００は、ゲイン補正係数ａに基づいて補正されたゲイン調整値、つまり表裏合わせ込みの処理後のゲイン調整値を決定する。また、オフセット補正係数ｂに基づいて補正されたオフセット調整値、つまり表裏合わせ込みの処理後のオフセット調整値を決定する（Ｓ９０７）。このように、白色紙を読み取って取得した少なくとも２つの異なる光量の輝度パターンを有する読取データに基づいて、表裏における読取特性差を低減するようにゲイン調整値とオフセット調整値が補正される。
【００４９】
図１１は、読取装置１０が行う表裏合わせ込みの処理結果の一例を説明するためのグラフである。図１１に示すグラフの縦軸は輝度を表し、横軸は光源の発光率を表している。
図１１に示すように、表裏合わせ込みの処理前のグラフと、表裏合わせ込みの処理後のグラフとを比較すると、表裏合わせ込みの処理後では発光率Ｈ１とＨ２における表側の輝度Ｘ１、Ｘ２と裏側の輝度Ｙ１、Ｙ２の差が低減されていることが見て取れる。つまり、表裏合わせ込みの処理により裏側の読取特性が表側の読取特性に合わせ込まれることで、表裏のリニアリティ差を低減することができている。
【００５０】
このように、本実施形態に係る読取装置１０では、面内濃度が一様な原稿（例えば白紙）を用いて光量を調整して画像データを取得し、取得した画像データに基づいてゲイン補正データ（ゲイン補正係数）及びオフセット補正データ（オフセット補正係数）を生成する。
これにより、濃度パターンが複数ある濃度基準原稿のような特殊な原稿を使用する代わりに、面内濃度が一様な原稿（例えば白紙）を用いて表裏のリニアリティ差を軽減することができる。
【００５１】
なお、上記説明では単色（黒）の原稿読み取りの場合を例に挙げて説明した。そのほか、原稿が多色の場合であっても、例えばＲＥＤ、ＧＲＥＥＮ、ＢＬＵＥの各色において上記説明した処理と同様の処理を行うように構成しても良い。また、読取装置１０に接続される画像形成装置の仕様に応じて構成しても良い。
【００５２】
上記説明した実施形態は、本発明をより具体的に説明するためのものであり、本発明の範囲が、これらの例に限定されるものではない。
【符号の説明】
【００５３】
１０・・・読取装置、９９・・・読取装置本体、１００・・・自動原稿給送装置、１０１・・・原稿トレイ、１０２・・・原稿、１０３・・・給紙ローラ、１０４・・・分離搬送ローラ、１０５・・・分離搬送従動ローラ、１０６・・・レジストローラ、１０７・・・従動ローラ、１０８・・・リードローラ、１０９・・・リード従動ローラ、１１１・・・リード排出ローラ、１１３・・・排紙ローラ、１１４・・・排紙トレイ、１１６、１２９・・・流し読みガラス、１１７・・・ジャンプ台、１２６・・・表面側ＣＩＳ（読取手段）、１２６ａ、１２８ａ・・・ＣＩＳのラインセンサ、１２８・・・裏面側ＣＩＳ（読取手段）、１３０、１３２・・・ＬＥＤ光源、１３１、１３３・・・ＬＥＤ制御回路、３０２、３０６・・・ラインセンサ駆動回路、３０３、３０７・・・Ａ／Ｄ変換部、３０４・・・画像処理ＡＳＩＣ、３０５・・・ＳＤＲＡＭ、４００、４０１・・・シェーディング補正回路、４０２・・・ゲイン補正値算出回路、４０３・・・オフセット補正値算出回路、５００・・・ＣＰＵ、５０１・・・ＣＩＳ移動用モータ、５０２・・・原稿搬送モータ。
【図１】
2017183964.tif 000006
【図２】
2017183964.tif 000007
【図３】
2017183964.tif 000008
【図４】
2017183964.tif 000009
【図５】
2017183964.tif 000010
【図６】
2017183964.tif 000011
【図７】
2017183964.tif 000012
【図８】
2017183964.tif 000013
【図９】
2017183964.tif 000014
【図１０】
2017183964.tif 000015
【図１１】
2017183964.tif 000016